(57)【要約】      （修正有）【課題】多数枚を重ね合わせ、ファイルの背表紙部の内側に溶着しても、見開きがフラットになり、且つ簡単な構造のファイル用のポケットを提供する。【解決手段】被綴じ体を収納するためのファイルの背表紙部の内側に多数枚が溶着されるファイル用のポケット２０であって、背表紙部の内側に溶着される溶着端縁２２と、溶着端縁２２の近傍において、溶着端縁２２と直交または交差する方向の一対の端縁の一方側端縁２６から他方側端縁２８までの少なくとも一部に、溶着端縁２２に沿って配設されるスリット３８を備える、ファイル用のポケット。【選択図】図２Ａ
2016055608.tif 000002
【特許請求の範囲】
【請求項１】
被綴じ体を収納するためのファイルの背表紙部の内側に多数枚が溶着されるファイル用のポケットであって、
前記背表紙部の内側に溶着される溶着端縁と、
前記溶着端縁の近傍において、前記溶着端縁と直交または交差する方向の一対の端縁の一方側端縁から他方側端縁までの少なくとも一部に、前記溶着端縁に沿って配設されるスリットとを備える、ファイル用のポケット。
【請求項２】
被綴じ体を収納するためのファイルの背表紙部の内側に多数枚が溶着されるファイル用のポケットであって、
前記ポケットは、一方のポケット片と他方のポケット片とによって形成され、
前記背表紙部の内側に溶着される前記ポケットの溶着端縁と直交又は交差する幅方向の長さは、一方のポケット片が他方のポケット片より短く、一方のポケット片の溶着端縁側端縁と他方のポケット片の溶着端縁との間に間隙部が形成され、
前記間隙部は、前記溶着端縁の近傍において、前記溶着端縁と直交または交差する方向の一対の端縁の一方側端縁から他方側端縁までの少なくとも一部に、前記溶着端縁に沿って配設される、ファイル用のポケット。
【請求項３】
前記スリットは、前記一方側端縁から前記他方側端縁までの全部に亘って配設され、又は、前記間隙部において、前記一方側端縁から前記他方側端縁までの全部に亘って、前記他方のポケット片のみが存在する、請求項１または請求項２に記載のファイル用のポケット。
【請求項４】
厚さ方向において互いに向かい合う一対のポケット片からなり、
前記スリット又は前記間隙部は、前記一方のポケット片に設けられ、
前記一方のポケット片は、前記溶着端縁と対向する端縁である自由端縁から前記スリット又は前記間隙部の一方側端縁までの第１シート部と、前記スリットの他方側端縁から前記溶着端縁までの第２シート部とを含み、
前記第１シート部と前記第２シート部とは適宜な間隔をおいて互いに対向しており、
前記第１シート部と前記第２シート部の互いに対向する部分は、直線状でそれぞれ平行であり、それらの間に前記間隙又は前記スリットが形成され、
前記他方のポケット片は、第３シート部からなり、
前記間隙又は前記スリットは、前記ファイルを見開いたとき、多数枚の前記ポケットを厚さ方向においてフラットにするための間隙部であり、前記スリット又は前記間隙部の部分では、前記第３シート部のみが存在する、請求項１から請求項３のいずれかに記載のファイル用のポケット。
【発明の詳細な説明】
【技術分野】
【０００１】
この発明は、ファイル用のポケットに関し、特に例えば、多数枚がクリアブックやカードアルバム等のファイルの背表紙部の内側に溶着されるファイル用のポケットに関する。
【背景技術】
【０００２】
従来から、クリアブックやカードアルバムなどのファイル用のポケットについて、多数枚を重ね合わせ、その中央部を溶解し、ファイルの背表紙部の内側に溶着するものが知られている。しかしながら、このような構造のファイルは、見開きがフラットにならないという問題があった。この問題を解決するファイルとして、特開平６−２３９０５６号公報（以下、「特許文献１」という）や実願平７‐１１４３４号公報（以下、「特許文献２」という）には、ポケット一枚一枚を背表紙部に固着することにより、見開きがフラットになる構造が開示されている。
【０００３】
また、特開２００９−７８５３２号公報（以下、「特許文献３」という）には、ファイルを見開く際、背表紙部に固着される多数枚のポケットの端縁を弓状に湾曲させることにより、見開きがフラットになる構造が開示されている。
【先行技術文献】
【特許文献】
【０００４】
【特許文献１】特開平６−２３９０５６号公報
【特許文献２】実願平７‐１１４３４号公報
【特許文献３】特開２００９−７８５３２号公報
【発明の概要】
【発明が解決しようとする課題】
【０００５】
特許文献１〜特許文献３のファイルは、上記した構造により、見開きがフラットになる。しかしながら、特許文献１および特許文献２のファイルは、ポケットの枚数が増えるに従い、見開きがフラットにならなくなるという問題があった。また、特許文献３のファイルは、構造が複雑であるという問題があった。
さらに、特許文献１〜特許文献３のファイルは、ポケット一枚一枚に用紙などの被綴じ体を収納していくと、やはりフラットな形状にならなくなるという問題があった。
【０００６】
それゆえに、この発明の目的とするところは、多数枚を重ね合わせ、ファイルの背表紙部の内側に溶着しても、見開きがフラットになり、且つ簡単な構造のファイル用のポケットを提供することである。
【課題を解決するための手段】
【０００７】
この発明の請求項１にかかるファイル用のポケットは、被綴じ体を収納するためのファイルの背表紙部の内側に多数枚が溶着されるファイル用のポケットであって、前記背表紙部の内側に溶着される溶着端縁と、前記溶着端縁の近傍において、前記溶着端縁と直交または交差する方向の一対の端縁の一方側端縁から他方側端縁までの少なくとも一部に、前記溶着端縁に沿って配設されるスリットとを備える、ファイル用のポケットである。
【０００８】
この発明の請求項２にかかるファイル用のポケットは、被綴じ体を収納するためのファイルの背表紙部の内側に多数枚が溶着されるファイル用のポケットであって、前記ポケットは、一方のポケット片と他方のポケット片とによって形成され、前記背表紙部の内側に溶着される前記ポケットの溶着端縁と直交又は交差する幅方向の長さは、一方のポケット片が他方のポケット片より短く、一方のポケット片の溶着端縁側端縁と他方のポケット片の溶着端縁との間に間隙部が形成され、前記間隙部は、前記溶着端縁の近傍において、前記溶着端縁と直交または交差する方向の一対の端縁の一方側端縁から他方側端縁までの少なくとも一部に、前記溶着端縁に沿って配設される、ファイル用のポケットである。
【０００９】
この発明の請求項３にかかるファイル用のポケットは、前記スリットは、前記一方側端縁から前記他方側端縁までの全部に亘って配設され、又は、前記間隙部において、前記一方側端縁から前記他方側端縁までの全部に亘って、前記他方のポケット片のみが存在する、請求項１または請求項２に記載のファイル用のポケットである。
【００１０】
この発明の請求項４にかかるファイル用のポケットは、厚さ方向において互いに向かい合う一対のポケット片からなり、前記スリット又は前記間隙部は、前記一方のポケット片に設けられ、前記一方のポケット片は、前記溶着端縁と対向する端縁である自由端縁から前記スリット又は前記間隙部の一方側端縁までの第１シート部と、前記スリットの他方側端縁から前記溶着端縁までの第２シート部とを含み、前記第１シート部と前記第２シート部とは適宜な間隔をおいて互いに対向しており、前記第１シート部と前記第２シート部の互いに対向する部分は、直線状でそれぞれ平行であり、それらの間に前記間隙又は前記スリットが形成され、前記他方のポケット片は、第３シート部からなり、前記スリット又は前記間隙部は、前記ファイルを見開いたとき、多数枚の前記ポケットを厚さ方向においてフラットにするための間隙であり、前記スリット又は前記間隙部の部分では、前記第３シート部のみが存在する、請求項１から請求項３のいずれかに記載のファイル用のポケットである。
【発明の効果】
【００１１】
この発明にかかるファイル用のポケットは、背表紙部の内側に溶着される溶着端縁を備え、溶着端縁の近傍において、溶着端縁と直交または交差する方向の一対の端縁の一方側端縁から他方側端縁までの少なくとも一部に、溶着端縁に沿って配設されるスリットとを備える構成とした。その結果、多数枚を重ね合わせ、ファイルの背表紙部の内側に溶着しても、見開きがフラットになり、且つ簡単な構造のファイル用のポケットを提供できる。
【図面の簡単な説明】
【００１２】
【図１】この発明の一実施形態にかかるファイル用のポケットの端縁を、ファイルの背表紙部の内側に多数枚溶着した状態における斜視図である。
【図２Ａ】この発明の一実施形態にかかるポケット一枚単独の平面図である。
【図２Ｂ】図２Ａの二点鎖線で囲まれた部分の拡大図である。
【図３Ａ】図２のＩ−Ｉ断面図である。
【図３Ｂ】図３Ａの二点鎖線で囲まれた部分の拡大図である。
【図４Ａ】ファイルの背表紙部の内側にポケット群の溶着端縁を溶着し、ファイルを閉じた場合の背表紙部近傍の拡大図である。
【図４Ｂ】図５Ａにおいて、ポケット群の厚み方向の中央部でスリットを設ける位置を逆にした場合を示す図である。
【図５】この発明の一実施形態にかかるポケットを備えるファイルを見開いた状態の斜視図である。
【図６Ａ】この発明の変形例にかかるポケット一枚単独の平面図である。
【図６Ｂ】図６Ａの二点鎖線で囲まれた部分の拡大図である。
【図７Ａ】図６のＩＩ−ＩＩ断面図である。
【図７Ｂ】図７Ａの二点鎖線で囲まれた部分の拡大図である。
【図８Ａ】原シートをポケット２０の開口部２６となる部分で切断する様子を示す図である。
【図８Ｂ】原シートのポケット片３２ａの部分に、適宜カッターで長さ方向に切断して、溶着端縁側端縁７２および自由端縁側端縁７４を形成する図である。
【図８Ｃ】、第１シート６２および第２シート６４と、第３シート６６とを、第１溶着部４２、第２溶着部４４および第３溶着部４６において互いに溶着する様子を示す図である。
【図８Ｄ】完成したこの実施形態にかかるポケットを示す図である。
【図９Ａ】ポケットシート群１００を、その重なった溶着端縁２２の端面同士を、加熱して溶着端縁２２よりわずかに内側の領域を溶融させて溶着する様子を示す図である。
【図９Ｂ】ポケットシート群１００を、その重なった溶着端縁２２の端面同士を、加熱して溶着端縁２２よりわずかに内側の領域を溶融させて溶着する様子を示す図である。
【図９Ｃ】表紙体１８の背表紙部１６の内側に、ポケット群１００が溶着された様子を示す図である。
【図１０】従来のファイルを見開いた状態の斜視図である。
【発明を実施するための形態】
【００１３】
まず、この発明の概要について説明する。従来から、クリアブックやカードアルバムなどのファイル用のポケットについて、多数枚を重ね合わせ、その中央部を溶解し、ファイルの背表紙部の内側に溶着されるものが知られている。しかしながら、このような構造のファイルは、図１０に示すように、見開きがフラットにならないという問題があった。この問題を解決するファイルとして、特許文献１および特許文献２には、ポケット一枚一枚を背表紙部の内側に固着することにより、見開きがフラットになる構造が開示されている。また、特許文献３には、ファイルを見開く際、背表紙部に固着される多数枚のポケットの端縁を弓状に湾曲させることにより、見開きがフラットになる構造が開示されている。
【００１４】
しかしながら、特許文献１および特許文献２のファイルは、ポケットの枚数が増えるに従い、やはり図１０に示すように見開きがフラットにならなくなるという問題があった。また、特許文献３のファイルは、構造が複雑であるという問題があった。
さらに、特許文献１〜特許文献３のファイルは、ポケット一枚一枚に用紙などの被綴じ体を収納していくと、厚みが増し、やはり図１０に示すようにフラットな形状にならなくなるという問題があった。
【００１５】
そこで、発明者らは、ファイルの背表紙部の内側に溶着される多数枚のポケットの溶着端縁の厚みが、見開いたときフラットな形状になることを阻害していることに着目した。そして、試行錯誤の末、ファイルの背表紙部の内側に溶着される多数枚のポケットそれぞれの溶着端縁の近傍において、溶着端縁と直交する方向または交差する方向に沿って配設されるスリットを備えることに想到した。以下、この発明にかかるポケットファイルの具体的な構造について、図面を参照して説明する。
【００１６】
図１は、この発明の一実施形態にかかるファイル用のポケットの端縁を、ファイルの背表紙部の内側に多数枚溶着した状態における斜視図である。
ファイル１０は、表表紙部１２と、裏表紙部１４と、表表紙部１２と裏表紙部１４とを連接する背表紙部１６とを有する表紙体１８と、この発明にかかるポケット２０を多数枚重ね合わせ、背表紙部１６の内側において端縁が溶着されるポケット群１００とを備える。この発明にかかるポケット２０は、ポリプロピレン等の熱可塑性合成樹脂で柔軟な、シート状体又はフィルム状体で成形されることが好ましい。
なお、この明細書および特許請求の範囲では、フィルムを含めてシートという。また、溶着とは、広く接着を意味し、溶着という表現により特に限定されるものではない。
【００１７】
図２Ａは、この発明の一実施形態にかかるポケット一枚単独の平面図である。また、図２Ｂは、図２Ａの二点鎖線で囲まれた部分の拡大図である。ポケット２０は、平面視長方形であり、その上部が開口した開口部２６を備える。ポケット２０は、その下部が塞がった底縁部２８を形成し、その図２の左側縁であり、背表紙部１６の内側に溶着される溶着端縁部２２と、図２の右側端縁である自由端縁部２４とが塞がったポケット状である。
【００１８】
図３Ａは、図２のＩ−Ｉ断面図である。また、図３Ｂは、図３Ａの二点鎖線で囲まれた部分の拡大図である。
この実施形態にかかるポケット２０は、溶着端縁部２２と自由端縁部２４とにおいてポケット２０を構成するシートが折れ曲がっている。
これにより、ポケット２０は、図３に示すように、厚み方向において互いに向かい合う一方のポケット片３２ａと他方のポケット片３２ｂとが形成される。
【００１９】
ポケット片３２ａ及びポケット片３２ｂは、平面視長方形で、溶着端縁部２２と自由端縁部２４とにおいて連続し、底縁部２８において連続している。
ポケット２０は、ポケット片３２ａ及びポケット片３２ｂの下端縁において連続した底縁部２８を形成され、ポケット片３２ａ及びポケット片３２ｂの上端縁において開口縁を形成されている。
【００２０】
一つのポケット片３２ａには、背表紙部１６に溶着される溶着端縁部２２の近傍において、ポケット片３２ａの長さ方向の一方端から他方端の全てに亘って切り欠かれているスリット３８が設けられる。すなわち、スリット３８は、ポケット片３２ａの溶着端縁部２２の近傍において、ポケット２０の長さ方向に沿って設けられる。
【００２１】
一方のポケット片３２ａについて、第１シート部６２の溶着端縁側端縁７２と、第２シート部６４の自由端縁側端縁７４とは、適宜な間隔をおいて対向している。
第１シート部６２の溶着端縁側端縁７２と、第２シート部６４の自由端縁側端縁７４とは、直線状でそれぞれ平行であり、それらの間にスリット３８が形成される。
スリット３８は、見開いたときポケット群１００（すなわち、多数枚のポケット２０）をフラットにするための細長い間隙であり、この部分では第３シート部６６のみ存在する。
【００２２】
ポケット片３２ａは、長方形状の第１シート部６２と、長方形状の第１シート部６２と並列された第２シート部６４とからなる。ポケット片３２ｂは、一枚の第３シート部６６からなる。
【００２３】
自由端縁部２４側の第１シート部６２は、第３シート部６６の第１シート部６２側と連続しており、溶着端縁部２２側の第２シート部６４は、第３シート部６６の第２シート部６４側と連続している。第１シート部６２と第３シート部６６とが対向する部分において、ポケット部３４が形成される。
第２シート部６４と第３シート部６６とが対向する部分において、背表紙部１６の内側に溶着される領域が形成される。
【００２４】
ポケット片３２ａの溶着端縁５２ａと、自由端縁５４ａと、第１シート部６２の溶着端縁側端縁７２と、第２シート部６４の自由端縁側端縁７４とは、平行である。
また、ポケット片３２ａの上側端縁５６ａと、下側端縁５８ａとは平行である。
そして、ポケット片３２ａの溶着端縁５２ａ、自由端縁５４ａ、溶着端縁側端縁７２および自由端縁側端縁７４は、上側端縁５６ａおよび下側端縁５８ａと直交する。
【００２５】
ポケット片３２ｂの溶着端縁５２ｂと、自由端縁５４ｂとは、平行である。
また、ポケット片３２ｂの上側端縁５６ｂと、下側端縁５８ｂとは平行である。
そして、ポケット片３２ｂの溶着端縁５２ｂおよび自由端縁５４ｂと、上側端縁５６ｂおよび下側端縁５８ｂとは直交する。
【００２６】
第１シート部６２の上側端縁５６ａと下側端縁５６ａとの間の長さ（すなわち、ポケット片３２ａの長さ方向の長さ）は、第３シート部６６の上側端縁５６ｂと下側端縁５８ｂとの間の長さ（すなわち、ポケット片３２ｂの長さ方向の長さ）と同じである。
第１シート部６２の幅と第２シート部６４の幅とスリット３８の幅とを合わせたポケット片３２ａの幅は、第３シート部６６の幅、すなわち、ポケット片３２ｂの幅と同一である。
【００２７】
スリット３８は、第１シート部６２の上側端縁５６ａと下側端縁５８ａとの間および第２シート部６４の上側端縁５６ａと下側端縁５８ａとの間に亘って連続して形成されている。スリット３８は、第１シート部６２の上側端縁５６ａと下側端縁５８ａおよび第２シート部６４の上側端縁５６ａと下側端縁５８ａと直交し、第３シート部６６の上側端縁５６ｂおよび下側端縁５８ｂと直交する。
【００２８】
したがって、ポケット２０は、厚さ方向において互いに向かい合う一対のポケット片３２ａおよびポケット片３２ｂからなり、スリット３８は、一方のポケット片３２ａに設けられ、一方のポケット片３２ａは、溶着端縁５２ａからスリット３８の一方側端縁までの第１シート部６２と、スリット３８の他方側端縁から溶着端縁５２ａと対向する端縁である自由端縁５４ａまでの第２シート部６４とを含む。
第１シート部６２と第２シート部６４とは適宜な間隔をおいて互いに対向しており、第１シート部６２と第２シート部６４の互いに対向する部分は、直線状でそれぞれ平行であり、それらの間にスリット３８が形成される。
他方のポケット片３２ｂは、第３シート部６６からなり、スリット３８は、ファイル１０を見開いたとき、多数枚のポケット２０を厚さ方向においてフラットにするための間隙であり、スリット３８の部分では、第３シート部６６のみが存在する。
【００２９】
ポケット片３２ａおよびもう一つのポケット片３２ｂは、スリット３８の幅方向の両端縁それぞれの近傍において、スリット３８の長さ方向に沿って設けられる第１溶着部４２および第２溶着部４４により、互いに溶着される。
すなわち、スリット３８は、第１シート部６２の溶着端縁５２ａの近傍を適宜カッターなどで切断した後、溶着端縁側端縁７２の近傍を第１溶着部４２により、自由端縁側端縁７４の近傍を第２溶着部４４によりそれぞれ長さ方向に沿って溶着して形成される。
また、ポケット片３２ａとポケット片３２ｂとは、ポケット片３２ａの底縁部２８ａおよびポケット片３２ｂの底縁部２８ｂの近傍において溶着部４６によっても互いに溶着される。
【００３０】
上記した構造により、ポケット２０には、互いに向かい合うポケット片３２ａとポケット片３２ｂとが、第１溶着部４２、第２溶着部４４と、第３溶着部４６と、自由端縁部２４との３つの端縁において閉じられ、開口部２６においてのみ開かれた、用紙などの被綴じ物Ｓを収納可能なポケット部３４が形成される。
【００３１】
図４Ａは、ファイル１０の背表紙部１６の内側にポケット群１００の溶着端縁部２２を溶着し、ファイル１０を閉じた場合の背表紙部１６近傍の拡大図である。ポケット２０は、表紙体１８の背表紙部１６の内側に溶着される溶着端縁部２２の近傍において、スリット３８を備えることにより、ポケット片３２ａおよびポケット片３２ｂの向かい合う方向（図４の左右方向）の厚みが小さくなる。そして、ポケット２０を多数枚重ね合わせたポケット群１００は、図４Ａに示すようにより厚みが小さくなる。
【００３２】
なお、多数枚のポケット２０を重ねてポケット群１００とするが、このとき、ポケット２０のスリット３８は、全て同じポケット片３２ａ側に設けられてもよいが、これに限らず、例えば、多数枚のポケット２０のうち、図４の右側半分のポケット２０にはポケット片３２ａにスリット３８を設け、左側半分のポケット２０にはポケット片３２ｂにスリット３８を設けてもよい。このときの様子を図４Ｂに示す。こうすることによって、ファイル１０を見開いたとき、よりフラットな形状になりやすくなる。
【００３３】
図５に示すように、ポケット２０の溶着端縁部２２の近傍にスリット３８を設けることで、ポケット２０を多数枚重ね合わせたポケット群１００は、より厚みが小さくなる。したがって、従来は、ファイル１０を見開いたとき溶着端縁部２２の近傍でポケット群１００が図１０に示すように湾曲していたが、図５に示すように、ポケット群１００は湾曲せずフラットな形状となる。
【００３４】
すなわち、ファイル１０の背表紙部１８の内側に溶着されるポケット群１００の溶着端縁部２２の厚みが、ファイル１０を見開いたときフラットな形状になることを阻害しなくなる。その結果、図５に示すように、見開いたときフラットな形状になる。さらに、ポケット２０一枚一枚に被綴じ体Ｓを収納していっても、フラットな形状になる。したがって、多数枚を重ね合わせ、ファイル１０の背表紙部１６の内側に溶着しても、見開きがフラットになり、且つ簡単な構造のファイル用のポケット２０を提供することができる。
【００３５】
なお、ポケット２０が、被綴じ体ＳとしてＡ４用紙を収納するのに適した寸法を有している場合、スリット３８の幅方向の好ましい寸法は、０ｍｍ〜７ｍｍである。より好ましくは、５ｍｍ〜７ｍｍである。なお、スリット３８の寸法が０ｍｍとは、カッターなどで適宜一筋の切り込みを入れた状態をいう。
【００３６】
ここで、スリット３８の幅方向の寸法を大きくすると、ファイル１０を見開いたとき、よりフラットな形状となるが、ポケット２０を平面視したときの面積が小さくなるため、小さな被綴じ物Ｓしか収納できなくなってしまう。一方、スリット３８の幅方向の寸法を小さくすると、ファイル１０を見開いたとき、フラットな形状になりにくくなるが、大きな被綴じ物Ｓも収納可能となる。
【００３７】
なお、上記した実施形態では、スリット３８が、一つのポケット片３２ａの背表紙部１６に溶着される溶着端縁部２２の近傍において、ポケット片３２ａの長さ方向の一方端から他方端に亘って直線状に設けられる場合について説明したが、これに限らず、波打った形状やその他の態様のスリット３８が設けられてもよい。
【００３８】
また、上記した実施形態では、スリット３８が、一つのポケット片３２ａの背表紙部１６に溶着される溶着端縁部２２の近傍において、ポケット片３２ａの長さ方向の一方端から他方端の全てに亘って設けられる場合について説明したが、これに限らず、ポケット片３２ａの長さ方向の一方端から他方端の一部が切り欠かれる態様で設けられてもよい。
【００３９】
例えば、ポケット片３２ａの長さ方向の一方端から他方端に亘って、多数の略矩形状のスリット３８を長さ方向に沿って一列に並べて設けてもよい。こうすることにより、ポケット２０が表紙体１８の背表紙部１６に溶着されるときの強度をより強くすることができる。
なお、このように、ポケット片３２ａの長さ方向の一方端から他方端の一部が切り欠かれている態様の場合、スリット３８の形状は、多数の略矩形状に限らずその他の形状、例えば多数の略円形状であってもよい。
【００４０】
なお、このような態様のスリット３８の場合、ポケット片３２ａに加えて、もう一つのポケット片３２ｂにもスリット３８を設けてよい。
【００４１】
次に、この発明の変形例について説明する。なお、この変形例では、上記した実施形態とはスリット３８の態様のみ異なるため、同一部分には同じ参照番号を付し、同様となる説明は繰り返さない。
【００４２】
図６Ａは、この発明の変形例にかかるポケット一枚単独の平面図である。図６Ｂは、図６Ａの二点鎖線で囲まれた部分の拡大図である。図７Ａは、図６ＡのＩＩ−ＩＩ断面図である。また、図７Ｂは、図７Ａの二点鎖線で囲まれた部分の拡大図である。上記した実施形態のポケット２０は、溶着端縁部２２および自由端縁部２４において折れ曲がっており、これにより、図３Ｂに示すように、厚み方向において互いに向かい合うポケット片３２ａおよびポケット片３２ｂが形成される態様であった。
【００４３】
一方、この変形例では、ポケット２０が、溶着端縁部２２で折り曲がっておらず、自由端縁部２４でのみ折れ曲がっていることにより、図７Ｂに示すように、厚み方向において互いに向かい合うポケット片３２ａおよびポケット片３２ｂが形成される態様である。
【００４４】
すなわち、この変形例では、図６および図７に示すように、ポケット片３２ａは、ポケット片３２ｂよりも幅方向の寸法が小さく、ポケット２０の溶着端縁部２２は、ポケット片３２ｂのみが存在し、ポケット片３２ａは存在しない。
したがって、この変形例では、上記した実施形態のスリット３８が、溶着端縁部２２からポケット片３２ａの溶着端縁側端縁７２までにかけて設けられる。
背表紙部１６の内側に溶着されるポケット２０の溶着端縁２２と直交又は交差する幅方向の長さは、一方のポケット片３２ａが他方のポケット片３２ｂより短く、一方のポケット片３２ａの溶着端縁側端縁７２と他方のポケット片３２ｂの溶着端縁５２ｂとの間に間隙部が形成され、間隙部は、溶着端縁部２２の近傍において、溶着端縁部２２と直交または交差する方向の一対の端縁の一方側端縁から他方側端縁までの少なくとも一部に、溶着端縁部２２に沿って配設される、ファイル用のポケット２０である。
【００４５】
その結果、この変形例では、上記した実施形態と比較して、ポケット２０の溶着端縁部２２の近傍の厚みがより小さくなるため、ファイル１０を見開いたときの形状がよりフラットになる。
なお、上記した実施形態では、溶着端縁部２２において折れ曲がり、ポケット片３２ｂだけでなく、ポケット片３２ｂと向かい合うポケット片３２ａをも備えることにより、表紙体１８の背表紙部１６の内側に溶着する強度がより強くなる。
【００４６】
なお、上記した実施形態およびその変形例では、被綴じ体ＳがＡ４用紙であり、ポケット部３４がこのＡ４用紙を収納するのに適した寸法を有する場合について説明した。しかしながら、被綴じ体ＳはＡ４用紙に限らず、Ｂ５用紙やその他のサイズの用紙でもよく、さらに用紙に限らず名刺や写真であってもよい。そして、ポケット部３４は、これらのサイズの被綴じ物Ｓを収納するのに適した寸法を有してもよい。このとき、ポケット部３４の寸法は、スリット３８の幅方向の寸法を調整することにより、各種サイズの被綴じ物Ｓを収納するのに適した寸法とすることもできる。
【００４７】
次に、この実施の形態にかかるポケット２０を製造する方法について、図８を参照して説明する。
まず、ポケット用の原シートは、略々楕円筒状であって、後に溶着端縁３６となる領域と、後に自由端縁３７となる領域とにおいて湾曲させられている。
原シートを、後にポケット片３２ａとなる領域と、後にポケット片３２ｂとなる領域とを接し合わせて、図中鎖線で示す、後にポケット２０の開口部２６となる部分及び後に底縁部２８となる部分で切断する。
次に、原シートのポケット片３２ａの部分に、図中鎖線で示すように、適宜カッターで長さ方向に切断して、スリット３８を形成するための溶着端縁側端縁７２および自由端縁側端縁７４を形成する。
一方のポケット片３２ａとなる領域は、溶着端縁５２ａと対向する端縁である自由端縁５４ａからスリット３８の一方側端縁までの第１シート部６２と、スリット３８の他方側端縁から溶着端縁５２ａまでの第２シート部６４とにスリット３８を形成する領域により区分される。
かかる成形により、第１シート部６２と第２シート部６４とは適宜な間隔をおいて互いに対向しており、第１シート部６２と第２シート部６４の互いに対向する部分は、直線状でそれぞれ平行であり、それらの間にスリット３８が形成される。
【００４８】
次に、切断されてなる第１シート部６２および第２シート部６４の内側面と、第３シート部６６の内側面とを接し合わせ、ポケット３０の長さ方向の寸法に対応させて、幅方向に沿ってカットする。
そして、第１シート６２および第２シート６４と、第３シート６６とを、溶着部４２、溶着部４４および溶着部４６において互いに溶着する。
他方の前記ポケット片は、第３シート部からなり、スリット３８は、ファイル１０を見開いたとき、多数枚のポケット２０を厚さ方向においてフラットにするための間隙であり、スリット３８の部分では、第３シート部６６のみが存在する。
【００４９】
次に、この発明の実施形態にかかるポケット２０を表紙体１８の背表紙部１６の内側に溶着する方法について、図９を用いて説明する。まず、原反（ポリプロピレン等の熱可塑性合成樹脂板体）を準備し、それにトムソン加工を施して、表紙体１８を形成する。
複数のポケット２０を多数枚重ね合せたポケット群１００の厚さ方向の一方側端面を載置面に直立して固定された第１位置決め部材１６０の主面に当接させる。
さらに、ポケット群１００の他方側端面を、第１位置決め部材１６０の主面に平行して対向し、第１位置決め部材１６０の主面と対向する方向に摺動可能な第２位置決め部材１７０の主面に当接させる。
すなわち、第１位置決め部材１６０の主面と、第２位置決め部材１７０の主面との間に、厚さ方向において挟み込むことにより、ポケット群１００を位置決めする。
【００５０】
次に、ポケット２０の溶着端縁２２の熱溶着は、ヒーター１５０を溶着端縁２２に押し当てて、溶着端縁２２の近傍を溶着させ、溶着端縁２２の端面同士を接着してポケット群１００を形成する。ポケット群１００の重なった溶着端縁２２の端面同士を、ヒーター１５０により加熱して溶着端縁２２よりわずかに内側に入った領域を背表紙部１６の内側に溶融させて固着する。なお、ホットメルト接着剤により接着するか超音波ホーンにより溶着してもよい。
【００５１】
なお、この発明は、前記実施の形態に限定されるものではなく、その要旨の範囲内で種々に変形される。
【符号の説明】
【００５２】
１０  ファイル
１２  表表紙部
１４  裏表紙部
１６  背表紙部
１８  表紙体
２０  ポケット
２２  溶着端縁部
２４  自由端縁部
２６  開口部
２８  底縁部
３２ａ、３２ｂ  ポケット片
３４  ポケット部
３８  スリット
４２  第１溶着部
４４  第２溶着部
４６  第３溶着部
５２ａ、５２ｂ  溶着端縁
５４ａ、５４ｂ  自由端縁
５６ａ、５６ｂ  上側端縁
５８ａ、５８ｂ  下側端縁
６２  第１シート部
６４  第２シート部
６６  第３シート部
７２  溶着端縁側端縁
７４  自由端縁側端縁
１００  ポケット群
１５０  ヒーター
１６０  第１位置決め部材
１７０  第２位置決め部材
【図１】
2016055608.tif 000003
【図２Ａ】
2016055608.tif 000004
【図２Ｂ】
2016055608.tif 000005
【図３Ａ】
2016055608.tif 000006
【図３Ｂ】
2016055608.tif 000007
【図４Ａ】
2016055608.tif 000008
【図４Ｂ】
2016055608.tif 000009
【図５】
2016055608.tif 000010
【図６Ａ】
2016055608.tif 000011
【図６Ｂ】
2016055608.tif 000012
【図７Ａ】
2016055608.tif 000013
【図７Ｂ】
2016055608.tif 000014
【図８Ａ】
2016055608.tif 000015
【図８Ｂ】
2016055608.tif 000016
【図８Ｃ】
2016055608.tif 000017
【図８Ｄ】
2016055608.tif 000018
【図９Ａ】
2016055608.tif 000019
【図９Ｂ】
2016055608.tif 000020
【図９Ｃ】
2016055608.tif 000021
【図１０】
2016055608.tif 000022